(57)【特許請求の範囲】
【請求項１】
スイッチング機構を有するスイッチ部と、
操作釦を有して、この操作釦の操作により前記スイッチ部との結合時に前記スイッチング機構を作動させる操作部と、
分離した前記スイッチ部と前記操作部との結合後に前記スイッチ部に対して前記操作部をロック及びアンロックするロック手段と、
前記ロック手段によるロック及びアンロックの状態を識別する識別手段とを備えており、
前記ロック手段が、一端側で前記スイッチ部に揺動可能に取付けられて前記スイッチ部の両側で開閉可能な一対のロックレバーと、前記一対のロックレバーが閉じた場合に、その他端側が係脱可能に前記スイッチ部に係合する係合手段とを有して、前記一対のロックレバーが有する操作レバー部の先端側を前記スイッチ部を取付けた取付け部材に設けた開口部より突出させて構成されており、
前記識別手段が、前記操作レバー部に、ロック操作時とアンロック操作時に前記開口部に出没する識別部を設けられて、前記ロック手段によるロック操作時とアンロック操作時を異なる識別態様で行うように構成したことを特徴とするスイッチ構造。
【請求項２】
前記識別部をプレート状にすると共に、少なくとも前記識別部に色を付けた請求項１に記載のスイッチ構造。
【請求項３】
前記操作部に、一方及び他方の脚部を設けると共に、これらの一方及び他方の脚部に前記ロックレバーの係合突起部が係脱可能に係合する係合孔部を設け、前記スイッチ部に、前記操作部との結合時に前記一方及び他方の脚部が挿入されると共に、前記一方及び他方の脚部の幅寸法より幅広の一方及び他方の溝部を設け、操作パネルに設けられて前記操作部が挿入される取付用挿通孔に、前記操作部に形成した溝部に多少の遊びをもって挿入される突起部を設けた請求項１に記載のスイッチ構造。
【発明の詳細な説明】
【０００１】
【発明の属する技術分野】
本発明は、スイッチング機構を有するスイッチ部と、スイッチング機構を作動させる操作釦を有する操作部とを分離可能に結合したスイッチ構造に関するものである。
【０００２】
【従来の技術】
従来のこの種のスイッチ構造として、例えば、押釦スイッチがある。この押釦スイッチは、図１３に示すようにリード端子６３を介して基板Ｂに接続されると共に、スイッチング機構や作動識別用のＬＥＤランプ６４を備えたスイッチ部６２と、操作パネルＰに取付けられると共に、操作釦６７を備えた操作部６１とを分離可能に連結し、ＬＥＤランプ６４の交換、基板Ｂの点検や回路構成部品の交換等のメンテナンスなどを行えるように、スイッチ部６２と操作部６１とを脱着できるように構成してある。
【０００３】
【発明が解決しようとする課題】
しかしながら、上記した従来のスイッチ構造である押釦スイッチの脱着構造にあっては、手指を基板Ｂと操作パネルＰとの間に差し入れてロックレバー６５を操作したり、基板Ｂに形成した開口部６６からドライバーなどの工具を基板Ｂの裏面側から挿入して、その先端でロックレバー６５を係止して回動操作したりする必要があり、狭い空間に差し入れた指先でのレバー操作は難しく、また、小さい開口部６６から挿入した工具の先でロックレバー６５を探りながらの操作は一層煩わしいものになっていた。
【０００４】
また、ロックレバー６５は基板Ｂと操作パネルＰの間の見にくい内奥にあるので、操作部６１とスイッチ部６２とを結合した後のロック操作において、ロックレバー６５が正しくロック位置まで回動されたかどうかを目視確認しにくいものであり、往々にして不十分なロック状態のまま使用してしまう恐れがあるという問題点があった。
【０００５】
本発明は、上記の問題点に着目して成されたものであって、その目的とするところは、スイッチ部と操作部との結合後のロックが行われていないこと及びこのロックが行われたことをそれぞれに視認できて、不十分なロック状態のまま使用してしまう恐れがなくなるスイッチ構造を提供することにある。
【０００６】
【課題を解決するための手段】
上記の目的を達成するために、請求項１の発明に係るスイッチ構造は、スイッチング機構を有するスイッチ部と、操作釦を有して、この操作釦の操作により前記スイッチ部との結合時に前記スイッチング機構を作動させる操作部と、分離した前記スイッチ部と前記操作部との結合後に前記スイッチ部に対して前記操作部をロック及びアンロックするロック手段と、前記ロック手段によるロック及びアンロックの状態を識別する識別手段とを備えており、前記ロック手段が、一端側で前記スイッチ部に揺動可能に取付けられて前記スイッチ部の両側で開閉可能な一対のロックレバーと、前記一対のロックレバーが閉じた場合に、その他端側が係脱可能に前記スイッチ部に係合する係合手段とを有して、前記一対のロックレバーが有する操作レバー部の先端側を前記スイッチ部を取付けた取付け部材に設けた開口部より突出させて構成されており、前記識別手段が、前記操作レバー部に、ロック操作時とアンロック操作時に前記開口部に出没する識別部を設けられて、前記ロック手段によるロック操作時とアンロック操作時を異なる識別態様で行うように構成したことを特徴とする。
【０００７】
かかる構成により、ロック手段が作動せず、スイッチ部に対する操作部のロックが行われていない場合、識別手段によりアンロックに対応する識別を行い、ロックが行われていないことが視認でき、また、ロック手段が作動して、スイッチ部に対する操作部のロックが行われた場合、識別手段によりロックに対応する識別を行い、ロックが行われたことが視認できる。このために、不十分なロック状態のままスイッチ構造を使用してしまう恐れがなくなる。
【０００９】
かかる構成により、上記した請求項１に係る発明の作用効果と同様な作用効果を奏し得るばかりか、ロック手段によるロック操作時とアンロック操作時を異なる識別態様で行うことで、ロック手段によるロック及びアンロックの状態の目視確認をより確実に行うことができる。このために、不十分なロック状態のままスイッチ構造を使用してしまう恐れがなくなる。
【００１１】
かかる構成により、操作レバー部を操作せず、ロック部によるロックが行われていない場合、操作レバー部に設けた識別部は取付部材の開口部に表出しており、この表出した識別部を視認することでロックが行われていないことを認識することができるし、また、操作レバー部を操作してロック部によるロックを行った場合、操作レバー部に設けた識別部は取付部材の開口部から見えなくなり、ロック操作が行われたことが視認できる。このために、不十分なロック状態のままスイッチ構造を使用してしまう恐れがなくなる。
【００１３】
かかる構成により、操作レバー部を操作せず、一対のロックレバーが開いた状態ではロックは行われておらず、この場合、操作レバー部に設けた識別部は取付部材の開口部に表出しており、この表出した識別部を視認することでロックが行われていないことを視認することができるし、また、操作レバー部を操作して一対のロックレバーを揺動させて閉じてロックを行った場合、係合手段により一対のロックレバーが閉じた位置に保持されると共に、操作レバー部に設けた識別部は一対のロックレバーと共に移動して、識別部は取付部材の開口部から見えなくなり、ロック操作が行われたことが視認できる。このために、不十分なロック状態のままスイッチ構造を使用してしまう恐れがなくなる。
【００１４】
また、上記の目的を達成するために、請求項２の発明に係るスイッチ構造は、請求項１に記載のスイッチ構造において、前記識別部をプレート状にすると共に、少なくとも前記識別部に色を付けた。
【００１５】
かかる構成により、上記した請求項１に係る発明の作用効果と同様な作用効果を奏し得るばかりか、識別部をプレート状にすると共に、少なくとも識別部に色を付けたことにより、ロックが行われていない場合、ロックが行われていないことをより確実に視認でき、ロックが行われた場合、ロックが行われたことがより確実に視認できる。
【００１６】
また、上記の目的を達成するために、請求項３の発明に係るスイッチ構造は、前記操作部に、一方及び他方の脚部を設けると共に、これらの一方及び他方の脚部に前記ロックレバーの係合突起部が係脱可能に係合する係合孔部を設け、前記スイッチ部に、前記操作部との結合時に前記一方及び他方の脚部が挿入されると共に、前記一方及び他方の脚部の幅寸法より幅広の一方及び他方の溝部を設け、操作パネルに設けられて前記操作部が挿入される取付用挿通孔に、前記操作部に形成した溝部に多少の遊びをもって挿入される突起部を設けた。
【００１７】
かかる構成により、上記した請求項１に係る発明の作用効果と同様な作用効果を奏し得るばかりか、取付用挿通孔に操作部を挿入した際に溝部に突起部が挿入されることにより、操作部の操作パネルへの取付けに当たって位置決めを行うことができて、取付作業が容易になる。
【００１８】
また、取付用挿通孔の突起部が溝部に挿入された状態であっても、操作部の取付用挿通孔に対する公差（ガタツキ）が多少あるようにしてあるために、一方及び他方の脚部が挿入される一方及び他方の溝部の幅寸法が、一方及び他方の脚部の幅寸法より幅広にしてあることと相俟って、操作パネルの取付用挿通孔のピッチと、基板に設けた、一つのスイッチ部を取付けるための孔群のピッチとが多少ずれていても、操作部の一方及び他方の脚部をスイッチ部の一方及び他方の溝部に容易に挿入することができるようになる。
【００１９】
【発明の実施の形態】
以下、本発明の実施の形態を図面に基づいて説明する。
【００２０】
図１は本発明に係るスイッチ構造の一部省略した斜視図、図２は同スイッチ構造の側面図、図３は同スイッチ構造の正面図、図４は同スイッチ構造の分解状態の斜視図、図５は同スイッチ構造の縦断面図、図６は同スイッチ構造においてスイッチング機構を表した縦断面図である。
【００２１】
本発明に係るスイッチ構造の実施の形態としての押釦スイッチＡは、操作パネルＰに取付けられる操作部１と、取付部材である基板Ｂに実装されるスイッチ部２と、このスイッチ部２に着脱可能に装着されるＬＥＤランプ６０と、操作部１とスイッチ部２とを係脱可能にロック及びアンロックするロック手段であるロック部３とから構成してある。
【００２２】
操作部１は操作ケース４を備えており、この操作ケース４は上部の角筒部４ａと下部の円筒部４ｂとを樹脂材で一体成形して構成してあり、円筒部４ｂの外周部は雄ねじ部４ｃが形成してあり、また、円筒部４ｂの外周部には、対向する位置に雄ねじ部４ｃを縦によぎる溝部４ｄが形成してある。そして、雄ねじ部４ｃにはパッキン１６Ａと回り止め座金１６が遊嵌してあり、また雄ねじ部４ｃにはナット１７が螺合してある。
【００２３】
また、操作ケース４の円筒部４ｂの下端部には前後一対の脚部５、６が下方に向けて片持ち状に延出してあり、脚部５には係合孔５ａが、脚部６には係合孔６ａがそれぞれ形成してある。そして、前側の脚部５の幅寸法はＬ１に、後側の脚部６の幅寸法はＬ２（＜Ｌ１）にしてある。
【００２４】
そして、操作ケース４内には操作釦７が押し込み操作可能に組み込まれている。この操作釦７は、円筒状のプランジャ本体８と、このプランジャ本体８の上端開口部８ａに着脱可能に嵌合された押釦本体９とから構成してあり、この押釦本体９は、反射ケース１０と、拡散プレート１１と、スイッチングの内容を彫刻する識別プレート１２と、反射ケース１０に着脱可能に嵌合したキャップ１３とから構成してある。
【００２５】
また、プランジャ本体８にはシールリング１４が嵌着してあり、このシールリング１４は操作ケース４内への液体及び塵埃の侵入の阻止のみならず、押釦７が押し込み操作された際に、シールリング１４が上方への力を受けて外れるのを阻止するような機能を有している。
【００２６】
また、操作釦７はオルタネイト機構１５を備えていて、このオルタネイト機構１５によって、押し込み操作毎に押し込みロックとこの押し込みロックの解除を繰り返すようにしてある。
【００２７】
また、前記スイッチ部２は、箱形のケース１８と、このケース１８の下部に嵌合されるベース１９とから成るスイッチケース２０とを備えており、このスイッチケース２０の前、後面部２０ｂ、２０ｃの中央には上下方向に沿う溝部２１、２２が形成してある。そして、前側の溝部２１の幅寸法はＬ１＋０．５ｍｍにしてあり、また、後側の溝部２２の幅寸法はＬ２＋０．５ｍｍにしてある。すなわち、前後側の溝部２１、２２に挿入される前、後側の脚部５、６の幅寸法はＬ１、Ｌ２より０．５ｍｍ程度幅広にしてある。
【００２８】
また、スイッチケース２０の上面部２０ａの左、右側縁部の前部にはそれぞれ前側支持部３６が突設してあり、また、上面部２０ａの左、右側縁部の後部にはそれぞれ後側支持部３７が突設してあって、前側支持部３６の上部にはピン状支点部３８が、また、後側支持部３７の上部にはピン状支点部３９がそれぞれ設けてある。また、スイッチケース２０の左、右面部２０ｄ、２０ｅの下部には、その中央を通る上下方向の直線イを挟んだ左右にストッパー用突起部４０、４１と、係合用突起部４２、４３とが突設してある。
【００２９】
このスイッチケース２０内には左右一対のスイッチング機構２４が収容してあり、また、スイッチケース２０の上面部２０ａには、スイッチング機構２４を作動する操作部材２５がスプリング２６により上方に付勢された状態で設けてある。すなわち、スイッチング機構２４は、図６に示すようにコモン端子２７と、常閉型の接点２８ａを有する固定端子２８と、常開型の接点２９ａを有する固定端子２９と、コモン端子２７の第１起立片２７ａに一端を係止されて上下揺動する可動レバー３０と、一端部に可動接点３１を有すると共に、他端部が可動レバー３０の一端部に係止された可動端子３２と、コモン端子２７の第２起立片２７ｂと可動端子３２の他端部とに亘って係止されたスナップばね３３とを備えており、操作部材２５を上下動させて可動レバー３０を上下に変位させることで、スナップ作動によるスイッチングを行うものである。また、コモン端子２７と固定端子２８と固定端子２９のそれぞれから延出されたリード端子部２７Ｄ、２８Ｄ、２９Ｄはスイッチケース２０の下面部（ベース１９）から外方に突出している。
【００３０】
また、スイッチケース２０の上面部２０ａの中央にはランプ装着部３４が設けてあり、このランプ装着部３４には一対のランプ用端子３５が配置してあり、これらのランプ用端子３５のリード端子部３５Ｄはスイッチケース２０の下面部（ベース１９）から外方に突出している。
【００３１】
前記ロック部３は、前後一対のロックレバー４５を備えている。これらのロックレバー４５は、図７の（１）〜（４）に示すように左右の支持片部４６と、これらの支持片部４６を互いに連結する連結部４７とより成るレバー本体４５Ａを有しており、このレバー本体４５Ａの支持片部４６には、その上端側に支承孔部４８が、下部には長孔部４９がそれぞれ設けてある。また、レバー本体４５Ａの連結部４７の内面中央部には係合突起部５０が突設してあり、また、レバー本体４５Ａの連結部４７の中央部には下方に延出する操作レバー部５１が形成してあり、この操作レバー部５１の基部には、この操作レバー部５１に対して直角方向で且つ内方に突出すプレート状の識別部５２が設けてある。そして、この識別部５２は白色に着色してある。
【００３２】
そして、前側のロックレバー４５は、その支持片部４６の支承孔部４８をスイッチケース２０の前側支持部３６に設けたピン状支点部３８に回転可能に嵌め、また、支持片部４６の長孔部４９にストッパー用突起部４０を挿入して、スイッチケース２０の前側部に設けてあり、また、後側のロックレバー４５は、その支持片部４６の支承孔部４８をスイッチケース２０の後側支持部３７に設けたピン状支点部３９に回転可能に嵌め、また、支持片部４６の長孔部４９にストッパー用突起部４１を挿入して、スイッチケース２０の後側部に設けてある。この場合、前後側のロックレバー４５は開いた状態にあって、その支持片部４６の外方に係合用突起部４２、４３が位置しており、また、前後側のロックレバー４５の識別部５２はスイッチケース２０の下面部２０ｂの前、後部の下方に位置している。そして、支持片部４６の長孔部４９と係合用突起部４２、４３とで係合手段を構成している。
【００３３】
また、前記操作パネルＰには、図８の（１）、（２）に示すように取付用挿通孔５３が所定の間隔をおいて複数配列させてあり、これらの取付用挿通孔５３は円孔５３Ａに突起部５３Ｂを２個１８０度位相差をもって形成したものである。
【００３４】
また、前記基板Ｂには、図９の（１）、（２）に示すようにスイッチ部２のスイッチング機構２４のリード端子部２７Ｄ、２８Ｄ、２９Ｄ用のスルーホール５４、５５、５６と、ランプ用端子３５のリード端子部３５Ｄ用のスルーホール５７、５８と、前、後側のロックレバー４５の操作レバー部５１の挿入用の開口部５９とが一組にして、多数組所定の間隔をおいて設けてある。
【００３５】
そして、操作部１は、その円筒部４ｂを操作パネルＰの取付用挿通孔５３に挿通し、円筒部４ｂに、パッキン１６Ａ、回り止め座金１６を遊嵌し、ナット１７を螺合して、このナット１７の締めあげることにより操作パネルＰに取付けてある。
【００３６】
また、スイッチ部２は、そのスイッチング機構２４のリード端子部２７Ｄ、２８Ｄ、２９Ｄを基板Ｂのスルーホール５４、５５、５６に、ランプ用端子３５のリード端子部３５Ｄをスルーホール５７、５８にそれぞれ挿入後に半田付けにより、基板Ｂに実装してあり、この場合に、前、後側のロックレバー４５の操作レバー部５０は開口部５９を貫通して基板Ｂの裏側に突出している。また、スイッチ機構部２のランプ装着部３４にはＬＥＤランプ６０が装着してあり、このＬＥＤランプ６０のリード端子部６１が一対のランプ用端子３５に接触している。
【００３７】
そして、操作部１を装着した操作パネルＰを、スイッチ部２を実装した基板Ｂに対して相対的に近付けることで、操作部１の前、後側の脚部５、６を、スイッチ部２の前後側の溝部２１、２２に挿入する。この状態では、操作部１の操作釦７のプランジャ本体８の下端部が、操作部材２５の上端部に当接しており、ＬＥＤランプ６０が操作釦７内に突入している。
【００３８】
また、この状態では、前後のロックレバー４５は図１２の（１）に示すように外に開いた状態であって、前後のロックレバー４５の操作レバー部５１は、開口部５９内であって、外側ロ寄りに位置していて、開口部５９内には、操作レバー部５１に設けた識別部５２が表出していて、この識別部５２の白色が開口部５９より見える。このために、ロック操作が行われていないことが視認できる。
【００３９】
次に、前後のロックレバー４５の操作レバー部５１を内方の移動させることにより、前、後側のロックレバー４５をピン状支点部３８を支点にして内方に回動させて、ロックレバー４５に設けた係合突起部５０を、操作部１の前、後側の脚部５、６の係合孔５ａ、６ａに係合してロックを行い、操作部１がスイッチ部２に結合される。
【００４０】
上記したように前、後側のロックレバー４５がピン状支点部３８を支点にして内方に回動した場合、図２に示すようにストッパー用突起部４０は支持片部４６の長孔部４９の内端部４９ａを離れて外端部４９ｂに当接し、係合用突起部４２、４３が、支持片部４６の縁部４６ａから内面に摺接して長孔部４９内に挿入して、この長孔部４９の内端部４９ａに係合する。このために、前、後側のロックレバー４５は、閉じた位置に保持される。
【００４１】
このように、前、後側のロックレバー４５によりロックがなされると、前、後側のロックレバー４５の識別部５２はスイッチケース２０の下面部２０ｂの前、後部の下方に収納され、前、後側のロックレバー４５は図１２の（２）に示すように閉じた状態であって、前、後側のロックレバー４５の操作レバー部５１は、開口部５９内であって、内側ハ寄りに位置していて、開口部５９内には、操作レバー部５１に設けた識別部５２が表出しておらず、この識別部５２の白色が開口部５９より見えなくなる。このために、ロック操作が行われたことが視認できる。このために、往々にして不十分なロック状態のままスイッチ構造を使用してしまう恐れがなくなる。
【００４２】
また、上記したように操作部１は、その円筒部４ｂを操作パネルＰの取付用挿通孔５３に挿通し、円筒部４ｂに、パッキン１６Ａ、回り止め座金１６を遊嵌し、ナット１７を螺合して、このナット１７の締めあげることにより操作パネルＰに取付けてあるが、この場合、取付用挿通孔５３の一対の突起部５３Ｂが、円筒部４ｂに形成した溝部４ｄに挿入されることにより、操作部１の操作パネルＰへの取付けに当たって位置決めを行うことができて、取付作業が容易になる。
【００４３】
また、取付用挿通孔５３の一対の突起部５３Ｂが溝部４ｄに挿入された状態であっても、円筒部４ｂの取付用挿通孔５３に対する公差（ガタツキ）が０．４ｍｍ程度にしてある。このことは、上記したように前、後側の脚部５、６が挿入される前、後側の溝部２１、２２の幅寸法が、前、後側の脚部５、６の幅寸法Ｌ１、Ｌ２より０．５ｍｍ程度幅広にしてあることと相俟って、操作パネルＰの取付用挿通孔５３のピッチと、基板Ｂに設けた、一つのスイッチ部２を取付けるための孔群（スルーホール５４、５５、５６、５７、５８及び開口部５９）のピッチとが多少ずれていても、操作部１の前、後側の脚部５、６をスイッチ部２の前、後側の溝部２１、２２に容易に挿入することができるようになる。
【００４４】
【発明の効果】
以上説明したように、請求項１の発明に係るスイッチ構造によれば、ロック手段が作動せず、スイッチ部に対する操作部のロックが行われていない場合、識別手段によりアンロックに対応する識別を行い、ロックが行われていないことが視認でき、また、ロック手段が作動して、スイッチ部に対する操作部のロックが行われた場合、識別手段によりロックに対応する識別を行い、ロックが行われたことが視認できる。このために、不十分なロック状態のままスイッチ構造を使用してしまう恐れがなくなる。
【００４５】
また、請求項１の発明に係るスイッチ構造によれば、ロック手段によるロック操作時とアンロック操作時を異なる識別態様で行うことで、ロック手段によるロック及びアンロックの状態の目視確認をより確実に行うことができる。このために、不十分なロック状態のままスイッチ構造を使用してしまう恐れがなくなる。
【００４６】
また、請求項１の発明に係るスイッチ構造によれば、操作レバー部を操作せず、ロック部によるロックが行われていない場合、操作レバー部に設けた識別部は取付部材の開口部に表出しており、この表出した識別部を視認することでロックが行われていないことを認識することができるし、また、操作レバー部を操作してロック部によるロックを行った場合、操作レバー部に設けた識別部は取付部材の開口部から見えなくなり、ロック操作が行われたことが視認できる。このために、不十分なロック状態のままスイッチ構造を使用してしまう恐れがなくなる。
【００４７】
また、請求項１の発明に係るスイッチ構造によれば、操作レバー部を操作せず、一対のロックレバーが開いた状態ではロックは行われておらず、この場合、操作レバー部に設けた識別部は取付部材の開口部に表出しており、この表出した識別部を視認することでロックが行われていないことを視認することができるし、また、操作レバー部を操作して一対のロックレバーを揺動させて閉じてロックを行った場合、係合手段により一対のロックレバーが閉じた位置に保持されると共に、操作レバー部に設けた識別部は一対のロックレバーと共に移動して、識別部は取付部材の開口部から見えなくなり、ロック操作が行われたことが視認できる。このために、不十分なロック状態のままスイッチ構造を使用してしまう恐れがなくなる。
【００４８】
また、請求項２の発明に係るスイッチ構造によれば、上記した請求項１に係る発明の作用効果と同様な作用効果を奏し得るばかりか、識別部をプレート状にすると共に、少なくとも識別部に色を付けたことにより、ロックが行われていない場合、ロックが行われていないことをより確実に視認でき、ロックが行われた場合、ロックが行われたことがより確実に視認できる。
【００４９】
また、請求項３の発明に係るスイッチ構造によれば、上記した請求項１に係る発明の作用効果と同様な作用効果を奏し得るばかりか、取付用挿通孔に操作部を挿入した際に溝部に突起部が挿入されることにより、操作部の操作パネルへの取付けに当たって位置決めを行うことができて、取付作業が容易になる。
【００５０】
また、取付用挿通孔の突起部が溝部に挿入された状態であっても、操作部の取付用挿通孔に対する公差（ガタツキ）が多少あるようにしてあるために、一方及び他方の脚部が挿入される一方及び他方の溝部の幅寸法が、一方及び他方の脚部の幅寸法より幅広にしてあることと相俟って、操作パネルの取付用挿通孔のピッチと、基板に設けた、一つのスイッチ部を取付けるための孔群のピッチとが多少ずれていても、操作部の一方及び他方の脚部をスイッチ部の一方及び他方の溝部に容易に挿入することができるようになる。
【図面の簡単な説明】
【図１】本発明に係るスイッチ構造の一部省略した斜視図である。
【図２】同スイッチ構造の側面図である。
【図３】同スイッチ構造の正面図である。
【図４】同スイッチ構造の分解状態の斜視図である。
【図５】同スイッチ構造の縦断面図である。
【図６】同スイッチ構造においてスイッチング機構を表した縦断面図である。
【図７】（１）はロックレバーの背面図である。
（２）はロックレバーの下面図である。
（３）はロックレバーの側面図である。
（４）は（１）のＺ−Ｚ線に沿う断面図である。
【図８】（１）は操作パネルの平面図である。
（２）は操作パネルの取付用挿通孔の説明図である。
【図９】（１）は基板の平面図である。
（２）は基板の、一つのスイッチ部を取付けるための孔群（スルーホール及び孔部）の説明図である。
【図１０】本発明に係るスイッチ構造の使用状態の一例を示す斜視図である。
【図１１】本発明に係るスイッチ構造の使用状態の一例を示す正面図である。
【図１２】（１）はロックレバーが開いた状態で、スイッチ部と操作部とのロックが行われいない場合における開口部の状態説明図である。
（２）はロックレバーが閉じた状態で、スイッチ部と操作部とのロックが行われている場合における開口部の状態説明図である。
【図１３】（１）は従来のスイッチ構造において、スイッチ部と操作部との結合が行われいない場合の説明図である。
（２）は従来のスイッチ構造において、スイッチ部と操作部との結合が行われいる場合の説明図である。
【符号の説明】
１  操作部
２  スイッチ部
３  ロック部（ロック手段）
４  操作ケース
４５  ロックレバー
５１  操作レバー部
５２  識別部
５９  開口部
Ａ  押釦スイッチ
Ｂ  基板（取付部材）
Ｐ  操作パネル
【図１】
0003794169.tif 000002
【図２】
0003794169.tif 000003
【図３】
0003794169.tif 000004
【図４】
0003794169.tif 000005
【図５】
0003794169.tif 000006
【図６】
0003794169.tif 000007
【図７】
0003794169.tif 000008
【図８】
0003794169.tif 000009
【図９】
0003794169.tif 000010
【図１０】
0003794169.tif 000011
【図１１】
0003794169.tif 000012
【図１２】
0003794169.tif 000013
【図１３】
0003794169.tif 000014